(57)【要約】【課題】  放熱構造を有する屋外ディスプレイ装置を開示する。【解決手段】  ディスプレイ装置は、第１の方向に画像が表示される第１のディスプレイモジュールと、第１の方向とは反対側の第２の方向に画像を表示する第２のディスプレイモジュールと、第１のディスプレイモジュールと第２のディスプレイモジュールを収容し流入部と排出部を有するハウジングと、第１のディスプレイモジュールと第２のディスプレイモジュールとのうちの少なくともいずれかから熱伝達を受け取って熱交換するように設けられる熱交換装置とを含み、熱交換装置は、第１のディスプレイモジュールを冷却するように少なくとも一つ以上の冷却流路を有する第１の熱交換部と、第２のディスプレイモジュールを冷却するように少なくとも一つ以上の冷却流路を有する第２の熱交換部と、第１の熱交換部と第２の熱交換部とが選択的に共有するように設けられる熱交換を含む。【選択図】      図２
2021508381.tif 000002
【特許請求の範囲】
【請求項１】
第１の方向に画像が表示される第１のディスプレイモジュールと、
前記第１の方向とは反対側の第２の方向に画像を表示する第２のディスプレイモジュールと、
前記第１のディスプレイモジュールと前記第２のディスプレイモジュールとを収容し、流入部および排出部を有するハウジングと、
前記第１のディスプレイモジュールと前記第２のディスプレイモジュールとのうちの少なくともいずれかから熱を受け取って、熱交換するように設けられる熱交換装置とを含み、
前記熱交換装置は、
前記第１のディスプレイモジュールを冷却するために、少なくとも一つ以上の冷却流路を有する第１の熱交換部と、
前記第２のディスプレイモジュールを冷却するために、少なくとも一つ以上の冷却流路を有する第２の熱交換部と、
前記第１の熱交換部と前記第２の熱交換部とが、選択的に共有するように設けられる熱交換器とを含むディスプレイ装置。
【請求項２】
前記第１の熱交換部は、
前記第１のディスプレイモジュールに空気が循環されるように設けられる第１の冷却流路と、
前記流入部を通じて流入される外気が、前記第１のディスプレイモジュールを冷却し、前記排気部を通じて排出されるように設けられる第２の冷却流路とを含む請求項１に記載のディスプレイ装置。
【請求項３】
前記第２の熱交換部は、
前記第２のディスプレイモジュールに空気が循環されるように設けられる第３の冷却流路と、
前記流入部を通じて流入される外気が、前記第２のディスプレイモジュールを冷却し、前記排気部を通じて排出されるように設けられる第４の冷却流路とを含む請求項２に記載のディスプレイ装置。
【請求項４】
前記熱交換器は、
前記第１の冷却流路と前記第３の冷却流路とが、共有するように設けられる複数の第１のチャンネルと、
前記第２の冷却流路と前記第４の冷却流路とが、共有するように設けられる複数の第２のチャンネルとを含む請求項３に記載のディスプレイ装置。
【請求項５】
前記第１の熱交換部は、
前記第２の冷却流路の空気を流動させるように設けられ、外気を吸入するように設けられる第１の送風装置と、
前記第１の送風装置を収容し、第１の流入口が形成される第１のケースと、
前記第１の冷却流路内の空気を流動させるように設けられる第２の送風装置と、
前記第２の送風装置を収容する第２のケースとを含む請求項４に記載のディスプレイ装置。
【請求項６】
前記第２の熱交換部は、
前記第４の冷却流路の空気を流動させるように設けられ、外気を吸入するように設けられる第３の送風装置と、
前記第３の送風装置を収容し、第２の流入口が形成される第３のケースと、
前記第３の冷却流路内の空気を流動させるように設けられる第４の送風装置と、
前記第４の送風装置を収容する第４のケースとを含む請求項５に記載のディスプレイ装置。
【請求項７】
前記熱交換器を収容するように設けられる第５のケースを含み、
前記第５のケースは、前記第２の冷却流路と前記第４の冷却流路とを流動する空気が排出されるように形成される排出口を含む請求項６に記載のディスプレイ装置。
【請求項８】
前記第５のケースは、
前記第１の冷却流路の空気が、前記複数の第１のチャネルを通じて熱交換されるように、前記第１の冷却流路と前記熱交換器との間を連通させる第１の連結口と、
前記第３の冷却流路の空気が、前記複数の第１のチャネルを通じて熱交換されるように、前記第３の冷却流路と前記熱交換器との間を連通させる第２の連結口とを含む請求項７に記載のディスプレイ装置。
【請求項９】
前記第２のケースは、
前記第１の冷却流路の空気が、前記第２の送風装置によって前記複数の第１のチャンネルに流入されるように、前記第１の冷却流路と前記熱交換器との間を連通させる第１の開口を含み、
前記第４のケースは、
前記第３の冷却流路の空気が、前記第４の送風装置によって前記複数の第１のチャンネルに流入されるように、前記第３の冷却流路と前記熱交換器との間を連通させる第２の開口を含む請求項７に記載のディスプレイ装置。
【請求項１０】
前記熱交換装置は、制御部をさらに含み、
前記制御部は、
前記第１のディスプレイモジュールの温度が、前記第２のディスプレイモジュールの温度よりも高いとき、前記第１の送風装置と前記第２の送風装置との少なくとも一つの回転速度を増加させるように制御し、
前記第１のディスプレイモジュールの温度が、前記第２のディスプレイモジュールの温度よりも低いとき、前記第３の送風装置と前記第４の送風装置との少なくとも一つの回転速度を増加させるように制御する請求項７に記載のディスプレイ装置。
【請求項１１】
前記熱交換装置は、少なくとも一つの温度センサーを含み、
前記少なくとも一つの温度センサーは、前記第１のディスプレイモジュールと前記第２のディスプレイモジュールとのうちの少なくとも一つに配置される請求項１０に記載のディスプレイ装置。
【請求項１２】
前記複数の第１のチャネルと前記複数の第２のチャネルとは、交互して配置されるように設けられる請求項４に記載のディスプレイ装置。
【請求項１３】
前記第１のケースと前記第３のケースとは、前記第５のケースの上側に配置され、
前記第２のケースと前記第４のケースとは、前記第５のケースの下側に配置される請求項７に記載のディスプレイ装置。
【発明の詳細な説明】
【技術分野】
【０００１】
本発明は、ディスプレイ装置に関するものであり、詳細には放熱構造を有する屋外ディスプレイ装置に関するものである。
【背景技術】
【０００２】
一般的に、ディスプレイ装置は、テレビ、コンピュータ用モニター、デジタル情報ディスプレイなどのように、画面上に映像を表示する装置である。最近では、これらのディスプレイデバイスを室外または屋外に広告などを目的として設置する場合が多くなっている。建物の外部に配置されて映像を表示する看板がこれに属する。
【０００３】
このように、屋外のディスプレイ装置は、ディスプレイパネルが太陽光に直接露出される場合、ディスプレイパネルの表面の温度が上昇して劣化現象が発生する。
【０００４】
また、ディスプレイ装置は、ディスプレイパネルと、ディスプレイパネルの後面に光を入射させるバックライトユニットを含むことができる。ディスプレイパネルは、液晶層を挟んで互いに向い合う一対の基板で形成できる。バックライトユニットには、ディスプレイパネルへ光を入射させる光源が設けられる。バックライトユニットの光源は、光を発生させるだけでなく、熱もともに放出するため、ディスプレイパネルを劣化させることがある。
【０００５】
したがって、ディスプレイ装置は、ディスプレイパネルの劣化現象を防止するための放熱構造を備えることができる。放熱構造は、ファンとエアフィルターとを含む構造によって実現できる。
【０００６】
ただし、前記のような放熱構造は、かなりの体積を占めるため、スリムなデザインを有するディスプレイ装置に適用するのには限界がある。例えば、ファンとエアフィルターを含む放熱構造の場合、定期的にフィルターを交換する必要があるため、高いメンテナンスコストを要する。
【発明の概要】
【発明が解決しようとする課題】
【０００７】
本発明の一側面は、両面アウトドアディスプレイ装置におけるディスプレイパネルの劣化現象を防止することができるように、冷却効率が向上させられるディスプレイ装置を提供する。
【０００８】
本発明の他側面は、放熱装置の体積を最小限に抑えることによって、製品のスリム化が行える放熱装置を有するディスプレイ装置を提供する。
【０００９】
本発明のもう一つの側面は、両面アウトドアディスプレイ装置における熱交換装置内で熱交換領域を共有することができるため、一側から太陽光が入射する場合、相対的に温度が低い他側を通じて熱を放出することができるディスプレイ装置を提供する。
【課題を解決するための手段】
【００１０】
本発明の一側面によるディスプレイ装置は、第１の方向に画像が表示される第１のディスプレイモジュールと、前記第１の方向とは反対側の第２の方向に画像を表示する第２のディスプレイモジュールと、前記第１のディスプレイモジュールと前記第２のディスプレイモジュールとを収容し、流入部および排出部を有するハウジングと、前記第１のディスプレイモジュールと前記第２のディスプレイモジュールとのうちの少なくともいずれかから熱を受け取って、熱交換するように設けられる熱交換装置とを含み、前記熱交換装置は、前記第１のディスプレイモジュールを冷却するために、少なくとも一つ以上の冷却流路を有する第１の熱交換部と、前記第２のディスプレイモジュールを冷却するために、少なくとも一つ以上の冷却流路を有する第２の熱交換部と、前記第１の熱交換部と前記第２の熱交換部とが、選択的に共有するように設けられる熱交換器とを含むことができる。
【００１１】
また、前記第１の熱交換部は、前記第１のディスプレイモジュールに空気が循環されるように設けられる第１の冷却流路と、前記流入部を通じて流入される外気が、前記第１のディスプレイモジュールを冷却し、前記排気部を通じて排出されるように設けられる第２の冷却流路とを含むことができる。
【００１２】
また、前記第２の熱交換部は、前記第２のディスプレイモジュールに空気が循環されるように設けられる第３の冷却流路と、前記流入部を通じて流入される外気が、前記第２のディスプレイモジュールを冷却し、前記排気部を通じて排出されるように設けられる第４の冷却流路とを含むことができる。
【００１３】
また、前記熱交換器は、前記第１の冷却流路と前記第３の冷却流路とが、共有するように設けられる複数の第１のチャンネルと、前記第２の冷却流路と前記第４の冷却流路とが、共有するように設けられる複数の第２のチャンネルとを含むことができる。
【００１４】
また、前記第１の熱交換部は、前記第２の冷却流路の空気を流動させるように設けられ、外気を吸入するように設けられる第１の送風装置と、前記第１の送風装置を収容し、第１の流入口が形成される第１のケースと、前記第１の冷却流路内の空気を流動させるように設けられる第２の送風装置と、前記第２の送風装置を収容する第２のケースとを含むことができる。
【００１５】
また、前記第２の熱交換部は、前記第４の冷却流路の空気を流動させるように設けられ、外気を吸入するように設けられる第３の送風装置と、前記第３の送風装置を収容し、第２の流入口が形成される第３のケースと、前記第３の冷却流路内の空気を流動させるように設けられる第４の送風装置と、前記第４の送風装置を収容する第４のケースとを含むことができる。
【００１６】
また、前記熱交換器を収容するように設けられる第５のケースを含み、前記第５のケースは、前記第２の冷却流路と前記第４の冷却流路とを流動する空気が排出されるように形成される排出口を含むことができる。
【００１７】
また、前記第５のケースは、前記第１の冷却流路の空気が、前記複数の第１のチャネルを通じて熱交換されるように、前記第１の冷却流路と前記熱交換器との間を連通させる第１の連結口と、前記第３の冷却流路の空気が、前記複数の第１のチャネルを通じて熱交換されるように、前記第３の冷却流路と前記熱交換器との間を連通させる第２の連結口とを含むことができる。
【００１８】
また、前記第２のケースは、前記第１の冷却流路の空気が、前記第２の送風装置によって前記複数の第１のチャンネルに流入されるように、前記第１の冷却流路と前記熱交換器との間を連通させる第１の開口を含み、前記第４のケースは、前記第３の冷却流路の空気が、前記第４の送風装置によって前記複数の第１のチャンネルに流入されるように、前記第３の冷却流路と前記熱交換器との間を連通させる第２の開口を含むことができる。
【００１９】
また、前記熱交換装置は、制御部をさらに含み、前記制御部は、前記第１のディスプレイモジュールの温度が、前記第２のディスプレイモジュールの温度よりも高いとき、前記第１の送風装置と前記第２の送風装置との少なくとも一つの回転速度を増加させるように制御し、前記第１のディスプレイモジュールの温度が、前記第２のディスプレイモジュールの温度よりも低いとき、前記第３の送風装置と前記第４の送風装置との少なくとも一つの回転速度を増加させるように制御することができる。
【００２０】
また、前記熱交換装置は、少なくとも一つの温度センサーを含み、前記少なくとも一つの温度センサーは、前記第１のディスプレイモジュールと前記第２のディスプレイモジュールとのうちの少なくとも一つに配置されることができる。
【００２１】
また、前記複数の第１のチャネルと前記複数の第２のチャネルとは、交互して配置されるように設けられることができる。
【００２２】
また、前記第１のケースと前記第３のケースとは、前記第５のケースの上側に配置され、前記第２のケースと前記第４のケースとは、前記第５のケースの下側に配置されることができる。
【００２３】
本発明の他側面によるディスプレイ装置は、第１の方向に画像が表示される第１のディスプレイモジュールと、前記第１の方向と逆向きの第２の方向に画像を表示する第２のディスプレイモジュールと、前記第１のディスプレイモジュールと前記第２のディスプレイモジュールとを収容し、流入部および排出部を有するハウジングと、前記第１のディスプレイモジュールに空気が循環されるように設けられる第１の冷却流路と、前記流入部を通じて流入される外気が、前記第１のディスプレイモジュールを冷却し、前記排気部を通じて排出されるように設けられる第２の冷却流路と、前記第２のディスプレイモジュールに空気が循環されるように設けられる第３の冷却流路と、前記流入部を通じて流入される外気が、前記第２のディスプレイモジュールを冷却し、前記排気部を通じて排出されるように設けられる第４の冷却流路と、前記第２の冷却流路と前記第４の冷却流路を流れる空気が前記第１の冷却流路と前記第３の冷却流路を流れる空気と熱交換するように前記ハウジングの内部に配置され、前記第２の冷却流路と第４の冷却流路に外気を供給及び排出するように設けられる熱交換器とを含むことができる。
【００２４】
また、前記熱交換器は、前記第1の冷却流路と前記第３の冷却流路を共有するように設けられる複数の第１のチャンネルと、前記第２の冷却流路と前記第４の冷却流路を共有するように設けられる複数の第２のチャンネルとを含むことができる。
【００２５】
また、前記複数の第１のチャネルと前記複数の第２のチャネルとは、交互して配置されるように設けられることができる。
【００２６】
また、前記熱交換器は、制御部をさらに含み、前記制御部は、前記第１のディスプレイモジュールの温度が、前記第２のディスプレイモジュールの温度よりも高いとき、前記第１の送風装置と前記第２の送風装置との回転速度を増加させるように制御し、前記第１のディスプレイモジュールの温度が、前記第２のディスプレイモジュールの温度よりも低いとき、前記第３の送風装置と前記第４の送風装置との回転速度を増加させるように制御することができる。
【００２７】
また、前記熱交換器は、少なくとも一つの温度センサーを含み、前記少なくとも一つの温度センサーは、前記第１のディスプレイモジュールと前記第２のディスプレイモジュールとのうちの少なくとも一つに配置されることができる。
【００２８】
また、前記第２の冷却流路の空気を流動させるように設けられ、外気を吸入するように設けられる第１の送風装置と、前記第１の送風装置を収容し、第１の流入口が形成される第１のケースと、前記第１の冷却流路内の空気を流動させるように設けられる第２の送風装置と、前記第２の送風装置を収容する第２のケースと、前記第４の冷却流路の空気を流動させるように設けられ、外気を吸入するように設けられる第３の送風装置と、前記第３の送風装置を収容し、第２の流入口が形成される第３のケースと、前記第３の冷却流路内の空気を流動させるように設けられる第４の送風装置と、前記第４の送風装置を収容する第４のケースとを含むことができる。
【００２９】
また、前記熱交換器を収容するように設けられる第５のケースを含み、前記第５のケースは、前記第２の冷却流路と前記第４の冷却流路の空気が排出される排出口を含むことができる。
【発明の効果】
【００３０】
本発明の一実施形態によれば、両面アウトドアディスプレイ装置における冷却効率を改善して、ディスプレイパネルの劣化現象を防止することができる効果がある。
【００３１】
また、放熱装置の体積を最小限に抑えることができるため、製品のスリム化ができる効果がある。
【００３２】
また、両面アウトドアディスプレイ装置における熱交換装置内で熱交換領域を共有することができるため、一側から太陽光が入射する場合、相対的に温度が低い他側を通じて熱を放出することができる効果がある。
【００３３】
また、熱交換装置内で送風装置の回転速度が調整できるため、両面アウトドアディスプレイのうちの一面が、ディスプレイの放熱のために制限されている熱交換の面積内で選択的に熱交換の面積を増加または減少させることができる。これにより、相対的に温度の高いディスプレイの温度を急速に下げることができる効果がある。
【図面の簡単な説明】
【００３４】
【図１】本発明の一実施形態に係るディスプレイ装置を示す斜視図である。
【図２】本発明の一実施形態に係るディスプレイ装置を示す分解斜視図である。
【図３】本発明の一実施形態に係る熱交換装置を示す斜視図である。
【図４】本発明の一実施形態に係る熱交換装置を示す分解斜視図である。
【図５】図１のＡ−Ａ’に沿った断面図である。
【図６】図４に示した熱交換器を示す図である。
【図７】本発明の一実施形態に係る熱交換器を示す部分の分解斜視図である。
【図８】本発明の一実施形態に係る熱交換器を示す部分拡大図である。
【図９】本発明の他の実施形態に係る熱交換装置を示す斜視図である。
【図１０】本発明の他の実施形態に係る熱交換装置を示す分解斜視図である。
【図１１】本発明の他の実施形態に係るディスプレイ装置を示す図である。
【図１２】本発明の別の実施形態に係るディスプレイ装置を示す図である。
【発明を実施するための形態】
【００３５】
本明細書に記載された実施形態と図面に示す構成は、開示した発明の好適な一例に過ぎないだけであり、本出願の出願時点において、本明細書の実施形態と図面を代替できる様々な変形例があり得る。
【００３６】
また、本明細書の各の図面で提示された同じな参照番号または符号は、実質的に同一の機能を行う部品または構成要素を示す。
【００３７】
また、本明細書で使用する用語は、実施形態を説明するために使用されたものであり、開示された発明を制限および/または限定しようとする意図がない。単数の表現は、文脈上明らかに異なる意味を有することない限り、複数の表現を含む。本明細書では、「含む」または「有する」などの用語は、明細書上に記載された特徴、数字、段階、動作、構成要素、部品またはこれらを組み合わせたものが存在することを指定しようとするのであって、一つまたはそれ以上の他の特徴や数字、段階、動作、構成要素、部品またはこれらを組み合わせたものの存在または付加可能性を予め排除しない。
【００３８】
また、本明細書で使用した「第１」、「第２」などのように序数を含む用語は、様々な構成要素を説明するために使用することができますが、前記の構成要素は、前記の用語によって限定されず、前記の用語は、１つの構成要素を他の構成要素から区別する目的としてのみ使用される。例えば、本発明の権利範囲を逸脱しなく、第１の構成要素は、第２の構成要素として命名することができ、同様に第２の構成要素も第１構成要素として命名することができる。「および/または」という用語は、複数の関連する記載項目の組み合わせまたは複数の関連する記載項目のうちいずれかの項目を含む。
【００３９】
以下では、本発明に係る一実施形態を添付した図面を参照して詳細に説明する。
【００４０】
図１は、本発明の一実施形態に係るディスプレイ装置を示す斜視図であり、図２は、本発明の一実施形態に係るディスプレイ装置を示す分解斜視図であり、図３は、本発明の一実施形態に係る熱交換装置を示す斜視図であり、図４は、本発明の一実施形態に係る熱交換装置を示す分解斜視図であり、図５は、図１に示したＡ−Ａ’に沿った断面図であり、図６は、図４に示した熱交換器を示す図である。
【００４１】
図１〜図６に示すように、ディスプレイ装置１は、外観を形成するハウジング１０を含むことができる。ハウジング１０は、室外に設置可能に設けられる。ハウジング１０は、前面と後面が開放された直方体形状を含むことができる。
【００４２】
ハウジング１０は、流入部１１と排出部１２とを含むことができる。ハウジング１０の流入部１１は、上面に形成され、排出部１２は、底面に形成できる。流入部１１は、外部の空気がハウジング１０の内部に流入されるようにハウジング１０の上面に貫通形成される少なくとも一つのホールを含むことができる。排出部１２は、流入部１１を通じてハウジング１０の内部に流入した外部の空気が、ハウジング１０の外部に排出されるように、ハウジング１０の底面に貫通形成される少なくとも一つのホールを含むことができる。本発明の一実施形態において、流入部１１と排出部１２は、少なくとも一つのホールを含むことを例として挙げるが、本発明はこれに限定されない。例えば、流入部と排出部は、少なくとも一つのスリットを含むことができる。また、流入部と排出部の位置は、前記の例に限定されず、多様に変更することができる。
【００４３】
ディスプレイ装置１は、ディスプレイモジュール１１０を保護するために配置する保護ガラス２０をさらに含むことができる。保護ガラス２０は、ハウジング１０の前面と後面にそれぞれ設置できる。保護ガラス２０は、強化ガラスなどのような剛性を持つ上に透明な材質で形成されて、保護グラス２０の内側に配置するディスプレイモジュール１１０を保護するともに、外部からディスプレイモジュール１１０で表示される画像を見ることができようにする。
【００４４】
保護ガラス２０は、ハウジング１０の前面に設けられる第１の保護グラス２１と、ハウジング１０の後面に設けられる第２の保護グラス２２とを含むことができる。保護ガラス２０は、ディスプレイモジュール１１０の大きさに対応する大きさを持つことができる。具体的には、保護ガラス２０は、画像が表示されるディスプレイパネル（図示せず）の表示領域に対応するように配置できる。
【００４５】
ディスプレイ装置１は、ハウジング１０の前面（第１の方向）側へ画像が表示されるように設けられる第１のディスプレイモジュール１１１と、ハウジング１０の後面（第２の方向）側へ画像が表示されるように設けられる第２のディスプレイモジュール１１２とを含むことができる。本発明の実施形態に係るディスプレイ装置１は、その前面と後面を通じて双方向に画像を表示することができるように設けられる。
【００４６】
第１のディスプレイモジュール１１１は、コンテンツを表示することができる。コンテンツは、外部から受信されるコンテンツまたは保存されたコンテンツを含むことができる。第１のディスプレイモジュール１１１は、ハウジング１０の内部に配置できる。第１のディスプレイモジュール１１１は、第１の保護グラス２１の後方に位置できる。第１のディスプレイモジュール１１１は、画像を表示するディスプレイパネルと、ディスプレイパネルの後面に組み合わせて、ディスプレイパネルに光を照射するバックライトユニット（図示せず）を含むことができる。
【００４７】
第２のディスプレイモジュール１１２は、ハウジング１０の内部に配置され、第２の保護グラス２２の後方に位置できる。第２のディスプレイモジュール１１２は、第１のディスプレイモジュール１１１から離隔して配置することができる。第２のディスプレイモジュール１１２は、第１のディスプレイモジュール１１１とその構成及び機能が同一であるため、具体的な説明を省略する。
【００４８】
ディスプレイ装置１は、熱交換装置２００をさらに含むことができる。熱交換装置２００は、第１のディスプレイモジュール１１１と第２のディスプレイモジュール１１２との後方に配置されて、第１のディスプレイモジュール１１１と第２のディスプレイモジュール１１２との少なくともいずれかから熱を受け取って熱交換するように設けられる。熱交換装置２００は、第１のディスプレイモジュール１１１と第２のディスプレイモジュール１１２とから熱伝導（ｈｅａｔ  ｃｏｎｄｕｃｔｉｏｎ）方式によって、熱を受け取ることができように結合されることができる。
【００４９】
熱交換装置２００は、第１のディスプレイモジュール１１１と第２のディスプレイモジュール１１２との後面に設けられて、ハウジング１０の内部の熱が第１のディスプレイモジュール１１１と第２のディスプレイモジュール１１２との後方で、放熱（ｈｅａｔ  ｄｉｓｓｉｐａｔｉｏｎ）可能に設けることができる。このとき、ハウジング１０の内部の熱は、第１のディスプレイモジュール１１１と、第２のディスプレイモジュール１１２と、制御部５０との少なくともいずれかから発生されることができる。また、ハウジング１０の内部の熱は、ディスプレイ装置１に入射した太陽光によって発生されることができる。ハウジング１０内部の熱は、熱伝導方式によって、熱交換装置２００に集中されることができる。
【００５０】
ディスプレイ装置１は、熱伝達部材４０をさらに含むことができる。熱伝達部材４０は、第１および第２のディスプレイモジュール１１１及び１１２と、熱交換装置２００との間に配置することができる。熱伝達部材４０は、第１のディスプレイモジュール１１１から伝達された熱を熱伝導方式で熱交換装置２００に伝達するように、第１のディスプレイモジュール１１１と熱交換装置２００との間に配置することができる。熱伝達部材４０は、放熱パッド(ｔｈｅｒｍａｌ  ｐａｄ）と金属部材との少なくとも一つを含むことができる。熱伝達部材４０は、第２のディスプレイモジュール１１２から伝達された熱を熱伝導方式で熱交換装置２００に伝達するように、第２のディスプレイモジュール１１２と熱交換装置２００との間に配置することができる。熱伝達部材４０は、第１および第２のディスプレイモジュール１１及び１１２と熱交換装置２００との間に密着配置されて、第１及び第２のディスプレイモジュール１１１および１１２と熱交換装置２００との間で、熱の伝達されることを妨げるために存在することができる空気を除去することによって、第１及び第２のディスプレイモジュール１１１および１１２を通過した熱が、熱交換装置２００に効果的に伝達できるように設けられる（図５を参照）。
【００５１】
ディスプレイ装置１は、制御部５０をさらに含むことができる。制御部５０は、第１のディスプレイモジュール１１１と第２のディスプレイモジュール１１２とを駆動させるためにハウジング１０の内部に設けられる。制御部５０は、第１のディスプレイモジュール１１１を駆動させるために設けられる第１の制御部５１と、第２のディスプレイモジュール１１２を駆動させるために設けられる第２の制御部５２とを含むことができる。以下で、第１の制御部５１と第２の制御部５２は、すべて制御部５０と総称して説明する。
【００５２】
制御部５０は、ディスプレイ装置１内の構成要素の動作を制御するためのアルゴリズムまたはアルゴリズムを再現したプログラムのデータを格納するメモリ（図示せず）と、メモリに保存されたデータを用いて、動作を実行するプロセッサ（図示せず）で具現できる。この場合、メモリとプロセッサは、それぞれ別個のチップで具現できる。また、メモリとプロセッサは、単一のチップで具現したり、複数のチップで具現してもよい。
【００５３】
制御部５０は、ディスプレイ装置１の上下方向に熱交換装置２００と一直線上に位置するように配置できる。制御部５０と熱交換装置２００とを一直線上に配置することによって、ディスプレイ装置１をスリムなデザインで実現することができる。ただし、本発明の実施形態において、制御部は、熱交換装置の下部に配置することを一例として示したが、本発明はこれに限定されない。例えば、制御部は、熱交換装置の上部または側方に配置してもよい。
【００５４】
制御部５０は、回路基板と、回路基板に実装される少なくとも一つの電装品５３とをさらに含むことができる。電装品５３は、相互の情報をやり取りして機能を実行するＣＰＵ、ＳＭＰＳ、ＬＤなどを含むことができる。
【００５５】
図３〜図５に示すように、熱交換装置２００は、第１のディスプレイモジュール１１１を冷却するために設けられる第１の熱交換部２０１と、第２のディスプレイモジュール１１２を冷却するために設けられる第２の熱交換部２０２と、第１の熱交換部２０１と第２の熱交換部２０２とが選択的に共有可能に設けられる熱交換器３００とをさらに含むことができる。
【００５６】
第１の熱交換部２０１は、第１のケース２１０、第２のケース２２０、及び熱交換器３００を含むことができる。
【００５７】
第１の熱交換部２０１は、第１のディスプレイモジュール１１１に空気が循環されるように設けられる第１の冷却流路Ｐ１と、ハウジング１０の流入部１１を通じて流入される外部の空気が、第１のディスプレイモジュール１１１を冷却し排出部１２を通じて排出されるよう設けられる第２の冷却流路Ｐ２とを含む。
【００５８】
第１の熱交換部２０１は、第１のケース２１０及び第２のケース２２０と、第１のケース２１０と第２のケース２２０とにそれぞれ収容される第１の送風装置２６１及び第２の送風装置２６２とを含むことができる。
【００５９】
第１のケース２１０は、第１のパネル２１１と、第１のフレーム２１２とを含むことができる。第１のパネル２１１は、第１のディスプレイモジュール１１１と向い合うように配置できる。第１のパネル２１１は、第１のディスプレイモジュール１１１と向い合うように配置されて熱交換装置２００の前面の外観を形成することができる。第１のフレーム２１２は、第１のパネル２１１の後方から結合することができる。第１のフレーム２１２には、流入部１１を通じてハウジング１０の内部に流入される外気が、熱交換装置２００の内部に流入されるための第１の流入口２９１が形成できる。第１の流入口２９１は、第１のフレーム２１２の後面に形成できる。第１のフレーム２１２は、第１のパネル２１１と結合して、その内部に第１の送風装置２６１を収容するための第１の収容部２１３を形成することができる。第１の収容部２１３は、後述する熱交換器３００と接続されるように形成される。第１の送風装置２６１は、第１のパネル２１１に結合することができる。
【００６０】
第１のケース２１０の第１の流入口２９１を通じて流入した外気は、熱交換器３００を通過しながら、第１のディスプレイモジュール１１１から伝達される熱と熱交換されて排出部１２を通じて排出される。
【００６１】
第２のケース２２０は、第１のケース２１０の下側に配置できる。第２のケース２２０は、第１のケース２１０と一直線上に位置するように配置できる。
【００６２】
第２のケース２２０は、第２のパネル２２１と第２のフレーム２２２とを含むことができる。第２のパネル２２１は、第１のディスプレイモジュール１１１と向い合うように配置できる。第２のパネル２２１は、第１のディスプレイモジュール１１１と向い合うように配置されて熱交換装置２００の前面の外観を形成することができる。第２のフレーム２２２は、第２のパネル２２１の後方から結合することができる。第２のフレーム２２２は、第２のパネル２２１と結合して、その内部に第２の送風装置２６２を収容ための第２の収容部２２３を形成することができる。第２の送風装置２６２は、第２のフレーム２２２に結合することができる。第２の収容部２２３は、熱交換器３００と接続されるように形成される。第２のケース２２０には、第１の冷却流路Ｐ１上の空気が、第２の送風装置２６２によって熱交換器３００に循環されるように、第１の冷却流路Ｐ１と熱交換器３００との間を連通させる第１の開口４０１が形成できる。第１の開口４０１は、第２のパネル２２１に形成する。第１の開口４０１は、第１のディスプレイモジュール１１１と熱交換した空気が、熱交換器３００に伝達されるように形成される。
【００６３】
第１のケース２１０と第２のケース２２０とは、熱交換器３００を間に置いて、第１のケース２１０が上側に配置され、第２のケース２２０が下側に配置されることができる。
【００６４】
第２の熱交換部２０２は、第３のケース２３０と、第４のケース２４０と、熱交換器３００を含むことができる。
【００６５】
第２の熱交換部２０２は、第２のディスプレイモジュール１１２に空気が循環されるように設けられる第３の冷却流路Ｐ３と、ハウジング１０の流入部１１を通じて流入される外部の空気が、第２のディスプレイモジュール１１２を冷却し排出部１２を通じて排出されるように設けられる第４の冷却流路Ｐ４とを含む。
【００６６】
第２の熱交換部２０２は、第３のケース２３０及び第４のケース２４０と、第３のケース２３０と第４のケース２４０とにそれぞれ収容される第３の送風装置２６３及び第４の送風装置２６４とを含むことができる。
【００６７】
第３のケース２３０は、第３のパネル２３１と第３のフレーム２３２とを含むことができる。第３のパネル２３１は、第２のディスプレイモジュール１１２と向い合うように配置できる。第３のパネル２３１は、第２のディスプレイモジュール１１２と向い合うように配置されて、熱交換装置２００の後面の外観を形成することができる。第３のフレーム２３２は、第３のパネル２３１の後方から結合することができる。第３のフレーム２３２には、流入部１１を通じてハウジング１０の内部に流入される外気が、熱交換装置２００の内部に流入されるための第２の流入口２９２が形成されることができる。第２の流入口２９２は、第３のフレーム２３２の後面に形成できる。第３のフレーム２３２は、第３のパネル２３１と結合して、その内部に第３の送風装置２６３を収容するための第３の収容部２３３を形成することができる。第３の収容部２３３は、後述する熱交換器３００と接続されるように形成される。第３の送風装置２６３は、第３のパネル２３１に結合することができる。
【００６８】
第３のケース２３０の第２の流入口２９２を通じて導入された外気は、熱交換器３００を通過しながら、第２のディスプレイモジュール１１２から伝達される熱と熱交換され排出部１２を通じて排出される。
【００６９】
第４のケース２４０が第３のケース２３０の下側に配置できる。第４のケース２４０は、第３のケース２３０と一直線上に位置するように配置できる。
【００７０】
第４のケース２４０は、第４のパネル２４１と第４のフレーム２４２とを含むことができる。第４のパネル２４１は、第２のディスプレイモジュール１１２と向い合うように配置できる。第４のパネル２４１は、第２のディスプレイモジュール１１２と向い合うように配置されて、熱交換装置２００の後面の外観を形成することができる。第４のフレーム２４２は、第４のパネル２４１の後方から結合することができる。第４のフレーム２４２は、第４のパネル２４１と結合して、その内部に第４の送風装置２６４を収容するための第４の収容部２４３を形成することができる。第４の収容部２４３は、熱交換器３００と接続されるように形成される。第４のケース２４０には、第３の冷却流路Ｐ３上の空気が、第４の送風装置２６４によって熱交換器３００で循環されるように、第３の冷却流路Ｐ３と熱交換器３００との間を連通させる第２の開口４０２が形成できる。第２の開口４０２は、第４のパネル２４１に形成される。第２の開口４０２は、第２のディスプレイモジュール１１２と熱交換された空気が、熱交換器３００に伝達されるように形成される。
【００７１】
第３のケース２３０と第４のケース２４０は、熱交換器３００を間に置いて、第３のケース２３０は上側に配置され、第４のケース２４０は下側に配置されることができる。
【００７２】
熱交換装置２００は、第１の熱交換部２０１と第２の熱交換部２０２の両側面に結合されて、外観を形成する第１のカバー２００ａと第２のカバー２００ｂとをさらに含むことができる。
【００７３】
熱交換装置２００には、少なくとも一つ以上の温度センサー７１と７２が設けられる。温度センサー７１と７２は、第１のディスプレイモジュール１１１の温度を測定する第１の温度センサ７１と、第２のディスプレイモジュール１１２の温度を測定する第２の温度センサ７２とを含むことがことができる。第１の温度センサ７１と第２の温度センサ７２は、制御部５０に設けられることを一例として示したが、本発明はこれに限定されない。例えば、第１の温度センサは、第１の冷却流路と第２の冷却流路との温度を測定するように設けられ、第２の温度センサは、第３の冷却流路と第４の冷却流路との温度を測定するように設けられてもよい。
【００７４】
図７は、本発明の一実施形態に係る熱交換器を示す部分の分解斜視図であり、図８は、本発明の一実施形態に係る熱交換器を示す部分拡大図である。
【００７５】
図７ないし図８に示すように、熱交換装置２００は、熱交換器３００をさらに含むことができる。熱交換器３００は、第５のケース２５０に収容できる。第５のケース２５０は、第５のパネル２５１と、第５のパネル２５１の後方に結合されてその内部に熱交換器３００を収容する第５のフレーム２５２とを含むことができる。
【００７６】
第５のケース２５０には、第２の冷却流路Ｐ２と第４の冷却流路Ｐ４とを流動する空気が排出されるように形成される排出口２９３が設けられる。排出口２９３は、第５のケース２５０の底部に形成できる。第５のケース２５０は、第１の冷却流路Ｐ１の空気が、熱交換器３００を通じて熱交換されるように、第１のディスプレイモジュール１１１と熱交換器３００との間を接続する第１の貫通孔５０１と、第３の冷却流路Ｐ３の空気が、熱交換器３００を通じて熱交換されるように、第２のディスプレイモジュール１１２と熱交換器との間を接続する第２の貫通孔５０２とを含むことができる。
【００７７】
第１の貫通孔５０１は、第５のケース２５０の第５のパネル２５１に形成され、第２の貫通孔５０２は、第５のフレーム２５２に形成することができる。
【００７８】
熱交換器３００は、ディスプレイ装置１の上下方向Ｈに沿って長く延長する少なくとも一つの第１のチャンネル３０１と、少なくとも一つの第２のチャンネル３０２とを含むことができる。
【００７９】
第１のチャンネル３０１は、第１の冷却流路Ｐ１と第３の冷却流路Ｐ３とが共有するように設けられる。第２のチャンネル３０２は、第２の冷却流路Ｐ２と第４の冷却流路Ｐ４とが共有するように設けられる。
【００８０】
第１のチャンネル３０１と第２のチャンネル３０２とは、互いに交差されて配置できる。第１のチャンネル３０１は、連結口３２０を通じて第１の冷却流路Ｐ１と第３の冷却流路Ｐ３とを接続させることができるように設けられる。第１のチャンネル３０１は、第１の冷却流路Ｐ１と接続されるように形成される第１の連結口３２１を含む。第１のチャンネル３０２は、第３の冷却流路Ｐ３と接続されるように形成される第２の連結口３２２を含む。第１の連結口３２１と第２の連結口３２２とは、互いに対応する位置に形成できる。第１の連結口３２１と第２の連結口３２２とを通じて第１の冷却流路Ｐ１と第２の冷却流路Ｐ２は、第１のチャンネル３０１によって互いに熱交換することができる。
【００８１】
熱交換器３００は、複数のチャンネルを仕切る熱交換フィン３０３をさらに含むことができる。熱交換フィン３０３は、第１のチャンネル３０１に沿って移動する空気と、第２のチャンネル３０２に沿って移動する空気とが、互いに混合されることを防止することができる。
【００８２】
熱交換器３００は、ガイドパネル３１０をさらに含むことができる。ガイドパネル３１０は、熱交換器３００の上端に設けることができる。ガイドパネル３１０には、複数のガイドパネルの流入口３１１が形成できる。ガイドパネルの流入口３１１は、第２のチャンネル３０２に対応する位置に貫通形成できる。ガイドパネルの流入口３１１は、第２のチャンネル３０２に対応するように配置できる。ガイドパネルの流入口３１１は、第１の流入口２９１と第２の流入口２９２とを通じて流入される外気を、第２の冷却流路Ｐ２と第４の冷却流路Ｐ４とにそれぞれ導くことができるように設けられる。ガイドパネルの流入口３１１を通じて第２の冷却流路Ｐ２と第４の冷却流路Ｐ４とに外気が流入されることができる。熱交換装置２００は、制御部５０を含むことができる。熱交換装置２００の制御部５０は、第１のディスプレイモジュール１１１の温度が第２のディスプレイモジュール１１２の温度よりも高いとき、第１の送風装置２６１と第２の送風装置２６２のうちの少なくともいずれかの速度を増加させるように制御することができる。逆に、第１のディスプレイモジュール１１１の温度が第２のディスプレイモジュール１１２の温度よりも低いとき、第３の送風装置２６３と第４の送風装置２６４のうちの少なくともいずれかの速度を増加させるように制御することができる。
【００８３】
ディスプレイ装置１は、第１のディスプレイモジュール１１１及び制御部５０と、第２のディスプレイモジュール１１２及び制御部５０とから伝達された熱を冷却させるために、ハウジング１０の内部に形成される第１の冷却流路Ｐ１と、第２の冷却流路Ｐ２と、第３の冷却流路Ｐ３と、第４の冷却流路Ｐ４とを含むことができる。
【００８４】
第１の冷却流路Ｐ１と第３の冷却流路Ｐ３は、互いに隔離されて第２の送風装置２６２と第４の送風装置２６４とをそれぞれに通じて循環されることができる。第１の冷却流路Ｐ１は、第１のディスプレイモジュール１１１の周りを冷却させるように循環し、第３の冷却流路Ｐ３は、第２のディスプレイモジュール１１２の周りを冷却させるように循環する。
【００８５】
このとき、第１の冷却流路Ｐ１は、第２のケース２２０に形成される第１の開口４０１と第５のケース２５０に形成される第１の連結口５０１とを通じて、第１のディスプレイモジュール１１１の前方と、熱交換器３００の第１のチャンネル３０１とを循環するように設けられ、第３の冷却流路Ｐ３は、第４のケース２４０に形成される第２の開口４０２と第５のケース２５０に形成される第２の連結口５０２とを通じて、第２のディスプレイモジュール１１２の前方と、熱交換器３００の第２のチャンネル３０２とを循環するように設けられる。
【００８６】
第２の冷却流路Ｐ２と第４の冷却流路Ｐ４のそれぞれは、第１のケース２１０と第３のケース２３０の第１の流入口２９１と第２の流入口２９２を通じて流入される外気を、第１の送風装置２６１と第３の送風装置２６３を通じて第５のケース２５０の排出口２９３に排出されるように流動させる。
【００８７】
このとき、第２の冷却流路Ｐ２は、第１のケース２１０に形成した第１の流入口２９１を通じて流入される外気が熱交換器３００の第２のチャンネル３０２を通じて熱交換されて、第５のケース２５０の排出口２９３に排出されるように設けられ、第４の冷却流路Ｐ４は、第３のケース２３０に形成された第２の流入口２９２を通じて流入される外気が熱交換器３００の第２のチャンネル３０２を通じて熱交換されて、第５のケース２５０の排出口２９３に排出されるように設けられる。第２の冷却流路Ｐ２と第４の冷却流路Ｐ４には、外部の空気が流れられる。
【００８８】
第１の冷却流路Ｐ１は、第２の冷却流路Ｐ２と熱交換器３００で会える。第１の冷却流路Ｐ１は、第２の冷却流路Ｐ２とインターログ（ｉｎｔｅｒｌｏｃｋ）されることができる。第１の冷却流路Ｐ１に沿って移動する空気と、第２の冷却流路Ｐ２に沿って移動する空気とは、熱交換器３００で互いに熱交換するが混合されない。
【００８９】
第３の冷却流路Ｐ３は、第４の冷却流路Ｐ４と熱交換器３００で会える。第３の冷却流路Ｐ３は、第４の冷却流路Ｐ４とインターログ（ｉｎｔｅｒｌｏｃｋ）されることができる。第３の冷却流路Ｐ３に沿って移動する空気と、第４の冷却流路Ｐ４に沿って移動する空気とは、熱交換器３００で互いに熱交換するが混合されない。
【００９０】
第１の冷却流路Ｐ１と第３の冷却流路Ｐ３とに沿って移動する相対的に暖かい空気は、第２の冷却流路Ｐ２と第４の冷却流路Ｐ４とに沿って移動する相対的に冷たい空気と熱交換器３００で熱交換することができる。したがって、第１のディスプレイモジュール１１１と第２のディスプレイモジュール１１２とが、過度に過熱されることを防止することができるため、ディスプレイパネルの劣化現象を防止することができる。
【００９１】
外部の空気は、第２の冷却流路Ｐ２に沿って移動する。相対的に冷たい空気は、第１の送風装置２６１の吸入力によって、第１の流入口２９１を通じて熱交換器３００の第２のチャンネル３０２に流入される。第２のチャンネル３０２に沿って移動する外部の空気は、第１のチャンネル３０１に沿って移動する内部の空気と熱交換される。このとき、内部の空気は、冷却されることができる。内部の空気と熱交換を終えた外気は、排出口２９３と排出部１２を通じてディスプレイ装置１の外部に排出される。
【００９２】
同様に、外部の空気は、第４の冷却流路Ｐ４に沿って移動する。相対的に冷たい空気は、第３の送風装置２６３の吸入力によって、第２の流入口２９２を通じて熱交換器３００の第２のチャンネル３０２に流入される。第２のチャンネル３０２に沿って移動する外部の空気は、第１のチャンネル３０１に沿って移動する内部の空気と熱交換される。このとき、内部の空気は、冷却されることができる。内部の空気と熱交換を終えた外気は、排出口２９３と排出部１２を通じてディスプレイ装置１の外部に排出される。
【００９３】
内部の空気は、第１の冷却流路Ｐ１に沿って移動できる。内部の空気は、太陽管、第１のディスプレイモジュール１１１、及び制御部５０などにより加熱されることができる。したがって、内部の空気は、相対的に暖かくなる。内部の空気は、第２の送風装置２６２の吸入力によって、第１の開口４０１を通じて熱交換器３００の第１のチャンネル３０１に流入される。内部の空気は、第１のチャンネル３０１に沿って移動する過程において、第２のチャンネル３０２に沿って移動する外部の空気と熱交換される。外部の空気と熱交換することによって相対的に冷えた状態で、第１の連結口５０１を通じて第１のディスプレイモジュール１１１に向かって排出される。
【００９４】
同様に、内部の空気は、第３の冷却流路Ｐ３に沿って移動できる。内部の空気は、太陽館、第２のディスプレイモジュール１１２、及び制御部５０などにより加熱されることができる。したがって、内部の空気は、相対的に暖かくなる。内部の空気は、第４の送風装置２６４の吸入力によって、第２の開口４０２を通じて熱交換器３００の第１のチャンネル３０１に流入される。内部の空気は、第１のチャンネル３０１に沿って移動する過程において、第２のチャンネル３０２に沿って移動する外部の空気と熱交換される。外部の空気と熱交換することによって相対的に冷えた状態で、第２の開口４０２を通じて第２のディスプレイモジュール１１２に向かって排出される。
【００９５】
このとき、制御部５０は、第１のディスプレイモジュール１１１の温度が第２のディスプレイモジュール１１２の温度よりも高いか低い場合には、第１〜第４の送風装置２６１と２６２と２６３と２６４の回転速度を調節することができる。
【００９６】
したがって、互いに反対方向に配置される第１のディスプレイモジュール１１１と第２のディスプレイモジュール１１２のうちの一側から入射した太陽光によって温度が高くなる場合も制御できるため、太陽光の条件に対する効果的な放熱対応ができる。
【００９７】
図９は、本発明の他の実施形態に係る熱交換装置を示す斜視図であり、図１０は、本発明の他の実施形態に係る熱交換装置を示す分解斜視図である。未図示した参考番号は、図１から図８を参照する。
【００９８】
図９〜図１０に示すように、熱交換装置２００Ａは、第１のケース２１０Ａ及び第２のケース２２０Ａと、第３のケース２３０Ａ及び第４のケース２４０Ａと、熱交換器３００Ａとを含むことができる。
【００９９】
熱交換装置２００Ａは、第１のディスプレイモジュール１１１に空気が循環されるように設けられる第１の冷却流路Ｐ１と、ハウジング１０の流入部１１を通じて流入される外部の空気が第１のディスプレイモジュール１１１を冷却し排出部１２を通じて排出されるように設けられる第２の冷却流路Ｐ２とを含む。
【０１００】
第１のケース２１０Ａは、第１のパネル２１１Ａと第１のフレーム２１２Ａを含むことができる。第１のパネル２１１Ａは、第１のディスプレイモジュール１１１と向い合うように配置されて、熱交換装置２００Ａの前面の外観を形成することができる。第１のフレーム２１２Ａは、第１のパネル２１１Ａの後方から結合することができる。第１のフレーム２１２Ａには、流入部１１を通じてハウジング１０の内部に流入される外気が熱交換装置２００Ａの内部に流入されるための一対の第１の流入口２９１Ａａと２９１Ａｂが形成できる。第１の流入口２９１Ａａと２９１Ａｂは、第１のフレーム２１２Ａの後面に形成されることができる。第１のフレーム２１２Ａは、第１のパネル２１１Ａと結合して、その内部に一対の第１の送風装置２６１Ａａと２６１Ａｂを収容するための第１の収容部２１３を形成することができる。第１の収容部２１３は、後述する熱交換器３００Ａと接続されるように形成される。第１の送風装置２６１Ａａと２６１Ａｂは、第１のパネル２１１Ａに結合することができる。
【０１０１】
第１のケース２１０Ａの第１の流入口２９１Ａａと２９１Ａｂを通じて流入した外気は、熱交換器３００Ａを通過しながら、第１のディスプレイモジュール１１１から伝達される熱と熱交換され、排出部１２を通じて排出される。
【０１０２】
第２のケース２２０Ａは、第１のケース２１０Ａと一直線上に位置するように配置できる。
【０１０３】
第２のケース２２０Ａは、第２のパネル２２１Ａと第２のフレーム２２２Ａとを含むことができる。第２のフレーム２２２Ａは、第２のパネル２２１Ａの後方で結合することができる。第２のフレーム２２２Ａは、第２のパネル２２１Ａと結合して、その内部に一対の第２の送風装置２６２Ａａと２６２Ａｂを収容するための第２の収容部２２３を形成することができる。第２の送風装置２６２Ａａと２６２Ａｂは、第２のフレーム２２２Ａに結合することができる。第２の収容部２２３は、熱交換器３００Ａと接続されるように形成される。第２のケース２２０Ａには、第１の冷却流路Ｐ１上の空気が第２の送風装置２６２Ａによって熱交換器３００Ａに循環されるように、第１の冷却流路Ｐ１と熱交換器３００Ａとの間を連通させる一対の第１の開口４０１Ａａと４０１Ａｂが形成できる。一対の第１の開口４０１Ａａと４０１Ａｂは、第２のパネル２２１Ａに形成される。第１の開口４０１Ａａと４０１Ａｂは、第１のディスプレイモジュール１１１と熱交換した空気が熱交換器３００に伝達されるように形成される。
【０１０４】
熱交換装置２００Ａは、第２のディスプレイモジュール１１２に空気が循環されるように設けられる第３の冷却流路Ｐ３と、ハウジング１０の流入部１１を通じて流入される外部の空気が第２のディスプレイモジュール１１２を冷却し、排出部１２を通じて排出されるように設けられる第４の冷却流路Ｐ４とを含む。
【０１０５】
第３のケース２３０Ａは、第３のパネル２３１Ａと第３のフレーム２３２Ａとを含むことができる。第３のパネル２３１Ａは、第２のディスプレイモジュール１１２と向い合うように配置されて、熱交換装置２００Ａの後面の外観を形成することができる。第３のフレーム２３２Ａは、第３のパネル２３１Ａの後方で結合することができる。第３のフレーム２３２Ａには、流入部１１を通じてハウジング１０の内部に流入される外気が熱交換装置２００Ａの内部に流入されるための一対の第２の流入口２９２Ａａと２９２Ａｂが形成できる。第２の流入口２９２Ａａと２９２Ａｂは、第３のフレーム２３２Ａの後面に形成できる。第３のフレーム２３２Ａは、第３のパネル２３１Ａと結合して、その内部に一対の第３の送風装置２６３Ａａと２６３Ａｂを収容するための第３の収容部２３３を形成することができる。第３の収容部２３３は、後述する熱交換器３００Ａと接続されるように形成される。第３の送風装置２６３Ａａと２６３Ａｂは、第３のパネル２３１Ａに結合することができる。
【０１０６】
第３のケース２３０Ａの第２の流入口２９２Ａａと２９２Ａｂを通じて流入した外気は、熱交換器３００Ａを通過しながら、第２のディスプレイモジュール１１２から伝達される熱と熱交換され、排出部１２を通じて排出される。
【０１０７】
第４のケース２４０Ａは、第３のケース２３０Ａと一直線上に位置するように配置できる。
【０１０８】
第４のケース２４０Ａは、第４のパネル２４１Ａと第４のフレーム２４２Ａとを含むことができる。第４のパネル２４１Ａは、第２のディスプレイモジュール１１２と向い合うように配置されて、熱交換装置２００Ａの後面の外観を形成することができる。第４のフレーム２４２Ａは、第４のパネル２４１Ａの後方で結合することができる。第４のフレーム２４２Ａは、第４のパネル２４１Ａと結合して、その内部に一対の第４の送風装置２６４Ａａと２６４Ａｂを収容するための第４の収容部２４３を形成することができる。第４の収容部２４３は、熱交換器３００Ａと接続されるように形成される。第４のケース２４０Ａには、第３の冷却流路Ｐ３上の空気が第４の送風装置２６４によって熱交換器３００Ａに循環されることができるように、第３の冷却流路Ｐ３と熱交換器３００Ａとの間を連通させる一対の第２の開口４０２Ａａと４０２Ａｂが形成できる。一対の第２の開口４０２Ａａと４０２Ａｂは、第４のパネル２４１Ａに形成される。第２の開口４０２Ａは、第２のディスプレイモジュール１１２と熱交換した空気が、熱交換器３００Ａに伝達されるように形成される。
【０１０９】
熱交換装置２００Ａには、少なくとも一つ以上の温度センサー７１と７２が設けられる。温度センサー７１と７２は、第１のディスプレイモジュール１１１の温度を測定する第１の温度センサ７１と、第２のディスプレイモジュール１１２の温度を測定する第２の温度センサ７２とを含むことがことができる。
【０１１０】
熱交換装置２００Ａは、制御部５０を含むことができる。熱交換装置２００Ａの制御部５０は、第１のディスプレイモジュール１１１の温度が第２のディスプレイモジュール１１２の温度よりも高いとき、第１の送風装置２６１Ａａと２６１Ａｂと、第２の送風装置２６２Ａａと２６２Ａｂとのうちの少なくともいずれかの速度を増加させるように制御することができる。逆に、第１のディスプレイモジュール１１１の温度が第２のディスプレイモジュール１１２の温度よりも低いとき、第３の送風装置２６３Ａａと２６３Ａｂと、第４の送風装置２６４Ａａと２６４Ａｂとのうちの少なくともいずれかの速度を増加させるように制御することができる。
【０１１１】
熱交換装置２００Ａの具体的な構成および冷却のための動作は、前述した一実施形態と同様であるため、同様の構成については説明を省略することができる。
【０１１２】
図１１は、本発明の他の実施形態に係るディスプレイ装置を示す図であり、図１２は、本発明の別の実施形態に係るディスプレイ装置を示す図である。未図示した参考番号は、図１〜図８を参照する。
【０１１３】
図１１〜図１２に示すように、本発明の様々な実施形態に係るディスプレイ装置を説明する。ディスプレイ装置２は、図１に示したディスプレイ装置１の大きさよりも小さいときには、図８に示した熱交換装置２００Ａの二つを適用することができる。
【０１１４】
また、ディスプレイ装置３は、本発明の実施形態に係る熱交換装置２００の三つを適用してもよい。
【０１１５】
このように、ディスプレイ装置１と２と３のサイズに応じて熱交換装置２００と２００Ａもディスプレイ装置１と２と３のサイズに対応して様々な方法で適用してもよい。
【０１１６】
以上では、特定の実施形態について説明した。しかし、上述した実施形態のみに限定されず、発明の属する技術分野における通常の知識を有する者であれば、以下の請求の範囲に記載された発明の技術的思想の要旨を逸脱することなく、いくらでも多様に変更実施することができる。
【符号の説明】
【０１１７】
１：      ディスプレイデバイス
１０：    ハウジング
１１：    流入部
１２：    排出部
２０：    保護ガラス
５０：    制御部
７１、７２：  温度センサー
１１０：  ディスプレイモジュール
２００：  熱交換装置
２０１：  第１の熱交換部
２０２：  第２の熱交換部
２１０：  第１のケース
２２０：  第２のケース
２３０：  第３のケース
２４０：  第４のケース
３００：  熱交換器
【図１】
2021508381.tif 000003
【図２】
2021508381.tif 000004
【図３】
2021508381.tif 000005
【図４】
2021508381.tif 000006
【図５】
2021508381.tif 000007
【図６】
2021508381.tif 000008
【図７】
2021508381.tif 000009
【図８】
2021508381.tif 000010
【図９】
2021508381.tif 000011
【図１０】
2021508381.tif 000012
【図１１】
2021508381.tif 000013
【図１２】
2021508381.tif 000014
【国際調査報告】
2021508381.tif 000015
2021508381.tif 000016
2021508381.tif 000017
2021508381.tif 000018
2021508381.tif 000019
2021508381.tif 000020
2021508381.tif 000021
2021508381.tif 000022
2021508381.tif 000023
2021508381.tif 000024
2021508381.tif 000025
2021508381.tif 000026